(57)【特許請求の範囲】
【請求項１】
上下方向に延設されたガイド部に沿って昇降するポンプの着脱装置において、
一方の端部がポンプの吐出口に接続されるとともに他方の端部が吐出し管に接続される連結直管と、
この連結直管の他方の端部側に設けられ、前記ガイド部に対向配置されるとともに、下方から上方にかけて前記ガイド部から遠ざかるテーパ部を有するベース部と、
このベース部から前記ガイド部の外周部に沿って設けられるとともに、前記ベース部と共に前記ガイド部と係合するアーム部と、
前記アーム部において、前記ガイド部の軸方向と前記連結直管の軸方向に対し、それぞれ直交する軸に交差する位置に、前記ガイド部との距離を一定にして前記ガイド部の上下方向に沿って設けられた突出部とを備えていることを特徴とするポンプの着脱装置。
【請求項２】
前記突出部の前記ガイド部の上下方向に沿った寸法は、前記ガイド部の外径よりも大きいことを特徴とする請求項１に記載のポンプの着脱装置。
【請求項３】
ピット内に設けられ、上下方向に延設されたガイド部と、
前記ピット内の底面に固定され、一方の開口端を底面近傍、他方の開口端が上方に設けられた吐出し管と、
ポンプと、
このポンプを前記ガイド部に沿って案内するポンプの着脱装置とを備え、
前記ポンプの着脱装置は、一方の端部が前記ポンプの吐出口に接続されるとともに他方の端部が前記吐出し管に接続される連結直管と、
この連結直管の他方の端部側に設けられ、前記ガイド部に対向配置されるとともに、下方から上方にかけて前記ガイド部から遠ざかるテーパ部を有するベース部と、
このベース部から前記ガイド部の外周部に沿って設けられるとともに、前記ベース部と共に前記ガイド部と係合するアーム部と、
前記アーム部において、前記ガイド部の軸方向と前記連結直管の軸方向に対し、それぞれ直交する軸に交差する位置に、前記ガイド部との距離を一定にして前記ガイド部の上下方向に沿って設けられた突出部とを備えていることを特徴とするポンプ装置。
【発明の詳細な説明】
【技術分野】
【０００１】
本発明は、マンホール等のピットに設置される着脱自在の水中ポンプを床面に固定された吐出し管に取り付けるためのポンプの着脱装置及びポンプ装置に関する。
【背景技術】
【０００２】
下水道等におけるマンホールの下部に通流している下水を汲み上げるために、水中ポンプが設置されている。マンホール内には予め吐出し管が底部に固定されており、この吐出し管の開口端に水中ポンプの吐出口に取り付けられた連結直管の開口端を当てることで、連結を行う。この連結はボルト等は用いない。
【０００３】
水中ポンプのメンテナンス時には、水中ポンプをマンホール位置から吊り上げ、マンホール内に設置されている一対のガイドパイプを用いて案内しながら昇降させている。連結直管にはブラケットが設けられており、このブラケットが一対のガイドパイプによって上下方向に案内される（例えば、特許文献１〜４参照）。
【０００４】
図４，図５は、このようなポンプの着脱装置１００の一例を示す図である。ポンプの着脱装置１００は、円筒状の連結直管１１０と、この連結直管１１０の上部に一体に設けられたブラケット１２０とを備えている。連結直管１１０の図４中左側の開口端１１１は水中ポンプ（図１参照）の吐出口にボルト止めされ、右側の開口端１１２は吐出し管（図１参照）の開口端に位置決めされることになる。ブラケット１２０は、一対のガイドパイプＧＰに対向配置されたベース部１２１と、このベース部１２１から一対のガイドパイプＧＰ側に突出し、一対のガイドパイプＧＰを外方から内方へ抱えるように配置された一対のアーム部１２２，１２２とを備え、ベース部１２１とアーム部１２２により水平断面が弧状となる中空部１２３が形成されている。中空部１２３にガイドパイプＧＰを通すことでベース部１２１とアーム部１２２がガイドパイプＧＰに係合し、案内が可能となる。この中空部１２３の最小内径は、ベース部１２１の下端１２１ａにおいて、ガイドパイプＧＰの外径よりも僅かに大きく形成されている。
【０００５】
ベース部１２１及びアーム部１２２には、その下端側から上端側にかけてその内径が拡がるテーパ部１２４，１２５が形成されており、ブラケット１２０全体が図４中矢印Ｐ方向及び矢印Ｒ方向に傾きが可能である。このテーパ部１２４は、水中ポンプを昇降させる際に、その重量バランスの関係から水中ポンプに固定された連結直管１１０が図５中矢印Ｃ方向に傾くことから、ガイドパイプＧＰとベース部１２１及びアーム部１２２との干渉を緩和して円滑に昇降作業を行うために設けられている。
【０００６】
アーム部１２２は、ガイドパイプＧＰの軸方向（鉛直方向）に沿って高さＨの寸法を有している。この高さＨはアーム部１２２の強度を維持するために十分な高さである。
【先行技術文献】
【特許文献】
【０００７】
【特許文献１】特開２００６−３７８３３号公報
【特許文献２】特許第４２４６４６４号公報
【特許文献３】特許第４３１９５９３号公報
【特許文献４】特許第４４５１０８１号公報
【発明の概要】
【発明が解決しようとする課題】
【０００８】
このようなポンプの着脱装置では、次のような問題があった。すなわち、上述したようにポンプの昇降作業を円滑にするためにテーパ部１２４が設けられているため、アーム部１２２とガイドパイプＧＰとの隙間δが拡がる。このため、ポンプの降下中にブラケット１２０が図４中矢印Ｒ方向、矢印Ｐ方向に大きく揺動する。このような状態でポンプを最下降させると、連結直管１１０の開口端１１２と吐出し管の開口端との位置決めを精密に行うことができず、接合が不完全となってしまう。
【０００９】
連結直管１１０の開口端１１２と吐出し管の開口端との接合が不完全な状態で、水中ポンプを始動すると、この接合部分で汚水等の漏れが発生する。また、水中ポンプを始動した時に水中ポンプ１００からの吐出水の圧力による反動で水中ポンプが動き、該接合部分に漏れが発生するという問題もあった。
【００１０】
そこで本発明は、ポンプの昇降を円滑に行える構造をとりつつ、接合部位におけるポンプと吐出し管との位置ずれを最小限に抑えることで、接合部位における漏れを最小限に抑えることができるポンプの着脱装置及びポンプ装置を提供することを目的としている。
【課題を解決するための手段】
【００１１】
前記課題を解決し目的を達成するために、本発明のポンプの着脱装置及びポンプ装置は次のように構成されている。
【００１２】
上下方向に延設されたガイド部に沿って昇降するポンプの着脱装置において、一方の端部がポンプの吐出口に接続されるとともに他方の端部が吐出し管に接続される連結直管と、この連結直管の他方の端部側に設けられ、前記ガイド部に対向配置されるとともに、下方から上方にかけて前記ガイド部から遠ざかるテーパ部を有するベース部と、このベース部から前記ガイド部の外周部に沿って設けられるとともに、ベース部と共に前記ガイド部と係合するアーム部と、前記アーム部の前記ガイド部に対向する位置に設けられ、前記アーム部において、前記ガイド部の軸方向と前記連結直管の軸方向に対し、それぞれ直交する軸に交差する位置に、前記ガイド部との距離を一定にして前記ガイド部の上下方向に沿って設けられ
た突出部とを備えている。
【００１３】
ピット内に設けられ、上下方向に延設されたガイド部と、前記ピット内の底面に固定され、一方の開口端を底面近傍、他方の開口端が上方に設けられた吐出し管と、ポンプと、このポンプを前記ガイド部に沿って案内するポンプの着脱装置とを備え、前記ポンプの着脱装置は、一方の端部が前記ポンプの吐出口に接続されるとともに他方の端部が前記吐出し管に接続される連結直管と、この連結直管の他方の端部側に設けられ、前記ガイド部に対向配置されるとともに、下方から上方にかけて前記ガイド部から遠ざかるテーパ部を有するベース部と、このベース部から前記ガイド部の外周部に沿って設けられるとともに、ベース部と共に前記ガイド部と係合するアーム部と、前記アーム部において、前記ガイド部の軸方向と前記連結直管の軸方向に対し、それぞれ直交する軸に交差する位置に、前記ガイド部との距離を一定にして前記ガイド部の上下方向に沿って設けられた突出部とを備えている。
【発明の効果】
【００１４】
本発明によれば、ポンプの昇降を円滑に行える構造をとりつつ、接合部位におけるポンプと吐出し管との位置ずれを最小限に抑えることで、接合部位における漏れを最小限に抑えることが可能となる。
【図面の簡単な説明】
【００１５】
【図１】本発明の一実施の形態に係るポンプの着脱装置を備えた水中ポンプ装置を示す側面図。
【図２】同ポンプの着脱装置を示す平面図。
【図３】同ポンプの着脱装置を示す縦断面図。
【図４】水中ポンプ装置に設けられるポンプの着脱装置の一例を示す平面図。
【図５】同ポンプの着脱装置を示す縦断面図。
【発明を実施するための形態】
【００１６】
図１は本発明の一実施の形態に係るポンプの着脱装置５０を備えた水中ポンプ装置１０を示す側面図、図２はポンプの着脱装置５０を示す平面図、図３はポンプの着脱装置５０を示す縦断面図である。なお、図１中Ｍはマンホールを示している。
【００１７】
水中ポンプ装置１０は、マンホール（ピット）Ｍ内に設置されたベース架台２０と、このベース架台２０に載置されたベース付連結管２１と、このベース付連結管２１に接続された吐出し管２２と、ベース付連結管２１の上部からマンホールＭの開口部Ｍａまで上下方向に延設された一対のガイドパイプ（ガイド部）３０と、マンホールＭ内に収容される水中ポンプ４０と、この水中ポンプ４０に取り付けられたポンプの着脱装置５０とを備えている。
【００１８】
水中ポンプ４０は、電動機と羽根車を収容する筐体４１を備えている。筐体４１の底部には吸込口４２、側部には吐出口４３が設けられている。
【００１９】
ポンプの着脱装置５０は、一方の端部６１が水中ポンプ４０の吐出口４３に接続されるとともに他方の端部６２が吐出し管２２に接続される連結直管６０と、この連結直管６０の他方の端部６２側に設けられたブラケット７０とを備えている。
【００２０】
ブラケット７０は、ガイドパイプ３０に対向配置されたベース部７１と、このベース部
７１からガイドパイプ３０の外周部に沿って設けられるとともに、ベース部７１と共にガ
イドパイプ３０と係合するアーム部７５とを備えている。ベース部７１には、下方から上
方にかけてガイドパイプ３０から遠ざかるテーパ部７２が形成されている。アーム部７５
には、ガイドパイプ３０に対向する位置に設けられ、ガイドパイプ３０の軸方向と連結直
管６０の軸方向に対し、それぞれ直交する軸に交差する位置に、ガイドパイプ３０を一定にしてガイドパイプ３０の上下方向に沿って設けられた突出部７６を備えている。突出部７６のガイドパイプ３０の上下方向に沿った寸法Ｗは、ガイドパイプ３０の外径Ｄよりも大きく設定されている。なお、アーム部７５には、テーパ部が設けられていない。このため、図２に示すようにガイドパイプ３０に対してアーム部７５が傾いていなければ、アーム部７５とガイドパイプ３０との距離φはアーム部７５の上下方向において常に一定である。
【００２１】
このように構成されたポンプ装置１０では、ポンプの着脱装置５０を用いて次のようにして水中ポンプ４０の取付けを行う。すなわち、マンホールＭの開口部Ｍａから水中ポンプ４０にポンプの着脱装置５０を取り付けたものを吊り下げる。このとき、水中ポンプ４０及びポンプの着脱装置５０は、重量バランスの関係で図３中矢印Ｃに示す方向に傾く。すなわち、アーム部７５は図２中矢印Ｐ方向に回動するが、図２中矢印Ｒ方向には回動しない。
【００２２】
このように、相対的に観るとガイドパイプ３０はテーパ部７２に傾くが、テーパ部７２の作用により、ベース部７１とガイドパイプ３０との摺動が緩和されて、水中ポンプ４０を円滑に降下させることができる。一方、相対的に観るとガイドパイプ３０はアーム部７５側には傾かない。このため、テーパ部を形成する必要がなく、アーム部７５とガイドパイプ３０との距離φは一定となる。したがって、ガイドパイプ３０とアーム部７５との距離を近づけることができる。
【００２３】
ここで、突出部７６がガイドパイプ３０の軸方向に沿って長く形成されているため、ガイドパイプ３０とアーム部７５とが接触した場合であっても、ポンプの着脱装置５０は図２中矢印Ｒ方向に沿って回動する量は僅かであり、高精度にその姿勢を保つことができる。なお、突出部７６のガイドパイプ３０の上下方向に沿った寸法Ｗは、長いほうがより安定するが、ガイドパイプ３０の外径Ｄよりも大きく設定すれば十分にその機能が発揮される。
【００２４】
このようにして、水中ポンプ４０及びポンプの着脱装置５０を降下させてゆくと、ブラケット７０がベース付連結管２１の上に接触し、続いて、連結直管６０の他方の端部６２がベース付連結管２１の開口端に接触する。これにより、連結直管６０とベース付連結管２１とは接合される。この際、ボルト等によって締結されていないので、連結直管６０とベース付連結管２１は接触しているのみである。
【００２５】
一方、上述したように、ポンプの着脱装置５０は図２中矢印Ｒ方向に沿って回動する量は僅かであるため、高精度に連結直管６０とベース付連結管２１との位置決めは行われ、水中ポンプ４０の作動に伴う接合部分における汚水等の漏れを最小限に抑えることができる。
【００２６】
上述したように本実施の形態に係るポンプの着脱装置５０を備えた水中ポンプ装置１０によれば、水中ポンプ４０の昇降を円滑に行える構造をとりつつ、接合部位における水中ポンプ４０と吐出し管２２との位置ずれを最小限に抑えることで、接合部位における漏れを最小限に抑えることが可能となる。
【００２７】
なお、本発明は前記実施の形態に限定されるものではない。この他、本発明の要旨を逸脱しない範囲で種々変形実施可能であるのは勿論である。
【符号の説明】
【００２８】
１０…水中ポンプ装置、２０…ベース架台、２１…ベース付連結管、２２…吐出し管、３０…一対のガイドパイプ（ガイド部）、４０…水中ポンプ、４３…吐出口、５０…ポンプの着脱装置、６０…連結直管、７０…ブラケット、７１…ベース部、７２…テーパ部、７５…アーム部、７６…突出部。
【図１】
0005740150.tif 000002
【図２】
0005740150.tif 000003
【図３】
0005740150.tif 000004
【図４】
0005740150.tif 000005
【図５】
0005740150.tif 000006